(57)【要約】【課題】  部品点数の削減及び構成のシンプル化を実現し、コストダウンに寄与するとともに、組立及び分解も容易に行えるようにする。また、ゴミ袋を出入れする観点からの使い勝手及び利便性を高める。【解決手段】  最下部に配した底盤部２と、この底盤部２から起立する離間して配した二本の支柱部３ａ，３ｂと、各支柱部３ａ，３ｂの上端部に支持されるとともに、ゴミ袋Ｓの上部Ｓｕを折返して掛止可能なリング状に形成した支持枠部４と、この支持枠部４によりヒンジ部６を介して回動可能に支持され、当該支持枠部４における上端の開口部Ｏを開閉する蓋部５とを備える。【選択図】  図１
0003109853.tif 000002
【実用新案登録請求の範囲】
【請求項１】
ゴミ袋を着脱可能に支持するゴミ箱において、最下部に配した底盤部と、この底盤部から起立する離間して配した二本の支柱部と、各支柱部の上端部に支持されるとともに、ゴミ袋の上部を折返して掛止可能なリング状に形成した支持枠部と、この支持枠部によりヒンジ部を介して回動可能に支持され、当該支持枠部における上端の開口部を開閉する蓋部とを備えることを特徴とするゴミ箱。
【請求項２】
各支柱部により前記支持枠部の略１８０〔°〕対向する位置をそれぞれ締付ネジにより支持し、前記締付ネジの締緩により前記開口部の開口方向を任意に設定可能に構成することを特徴とする請求項１記載のゴミ箱。
【考案の詳細な説明】
【技術分野】
【０００１】
本考案は、ゴミ袋を着脱可能に支持するゴミ箱に関する。
【背景技術】
【０００２】
従来、スーパーマーケット等で用いる買物袋や一般家庭等におけるゴミ出用のゴミ袋を着脱可能に支持するようにした汎用性を有するゴミ箱は知られている。
【０００３】
例えば、特開平９−１２１０３号公報には、ごみ袋を収納可能な開口部を有する上部フレームとこの上部フレームの下方に配置される下部フレームと、これらの上部フレームと下部フレームとの間に着脱自在に設けられた複数の脚部と、上部フレームに開閉可能に設けられた蓋と、上部フレームと蓋との間に回動可能に設けられて上部フレームと共にごみ袋の開口部を固定するごみ袋固定部材とを有する分解組立式ごみ箱が開示され、また、実開平７−１２３０４号公報には、フレームが半分に折りたたむことができるようにし、このフレームの固定側に支柱を設け、支柱に引掛けをつけ、さらに支柱は、台枠に支えられれるように構成した買物袋使用のゴミ箱が開示されている。
【特許文献１】特開平９−１２１０３号
【特許文献２】実開平７−１２３０４号
【考案の開示】
【考案が解決しようとする課題】
【０００４】
しかし、上述した従来のゴミ箱は、次のような問題点があった。
【０００５】
第一に、支柱は、上部のフレームを安定に支持することを主目的として、三本以上用いているため、部品点数の増加や構成の複雑化を招き、コスト面で不利になるとともに、組立及び分解も面倒となる。
【０００６】
第二に、支柱を三本以上必要とするため、各支柱間の隙間を利用したゴミ袋の出入れが制限されてしまう。したがって、支柱の配列により一方向の出入れは確保できても二方向の出入れを確保することが困難となり、ゴミ袋を出入れする観点からの使い勝手及び利便性に劣る。
【０００７】
第三に、支柱を三本以上必要とするため、上部のフレームの角度が水平に固定されてしまう。したがって、上端の開口部の開口方向も真上（鉛直方向）に固定され、ゴミを投入する観点からの使い勝手及び利便性に劣る。
【０００８】
本考案は、このような背景技術に存在する課題を解決したゴミ箱の提供を目的とするものである。
【課題を解決するための手段】
【０００９】
本考案は、上述した課題を解決するため、ゴミ袋Ｓを着脱可能に支持するゴミ箱１を構成するに際して、最下部に配した底盤部２と、この底盤部２から起立する離間して配した二本の支柱部３ａ，３ｂと、各支柱部３ａ，３ｂの上端部に支持されるとともに、ゴミ袋Ｓの上部Ｓｕを折返して掛止可能なリング状に形成した支持枠部４と、この支持枠部４によりヒンジ部６を介して回動可能に支持され、当該支持枠部４における上端の開口部Ｏを開閉する蓋部５とを備えることを特徴とする。
【００１０】
この場合、考案の好適な態様により、各支柱部３ａ，３ｂにより支持枠部４の略１８０〔°〕対向する位置をそれぞれ締付ネジ７ａ，７ｂにより支持し、締付ネジ７ａ，７ｂの締緩により開口部Ｏの開口方向を任意に設定可能に構成することができる。
【考案の効果】
【００１１】
このような構成を有する本考案に係るゴミ箱１によれば、次のような顕著な効果を奏する。
【００１２】
（１）  支柱部３ａ，３ｂを二本で構成するため、支柱部３ａ，３ｂの本数が減ることに伴う部品点数の削減及び構成のシンプル化を実現することができ、コストダウンに寄与できるとともに、組立及び分解も容易に行うことができる。
【００１３】
（２）  支柱部３ａ，３ｂを二本で構成するため、各支柱部３ａ，３ｂ間の広い隙間Ｆを確保できるとともに、ゴミ袋Ｓの出入れを隙間Ｆの前方向Ｆｆと後方向Ｆｒの二方向において行うことができ、ゴミ袋Ｓを出入れする観点からの使い勝手及び利便性を高めることができる。
【００１４】
（３）  好適な態様により、各支柱部３ａ，３ｂによって支持枠部４の略１８０〔°〕対向する位置をそれぞれ締付ネジ７ａ，７ｂにより支持すれば、締付ネジ７ａ，７ｂの締緩により開口部Ｏの開口方向を容易に変更することができる。この結果、開口部Ｏの開口方向を斜め前上方に向けることができるなど、ゴミを投入する観点からの使い勝手及び利便性を高めることができる。
【考案を実施するための最良の形態】
【００１５】
次に、本考案に係る最良の実施形態を挙げ、図面に基づき詳細に説明する。
【００１６】
まず、本実施形態に係るゴミ箱１を構成する主要部品について、図１〜図４を参照して説明する。
【００１７】
ゴミ箱１は、図１に示すように、大別して、底盤部２，二本の支柱部３ａ，３ｂ，支持枠部４及び蓋部５からなる。
【００１８】
この場合、底盤部２は、強化プラスチック等により一体成形し、図４に示すように、円盤形の底盤本体部１１と、この底盤本体部１１の外周部から下方に延設した筒状脚部１２を有する。
【００１９】
一方、一本の支柱部３ａは、強化プラスチック等により一体成形し、一本の棒状をなす支柱本体部１３と、この支柱本体部１３の下端に設けた底盤取付部１４と、支柱本体部１３の上端に設けた支持枠支持部１５と、支柱本体部１３の上端付近から横Ｌ形に突出したフック部１６を有する。底盤取付部１４は、図４に示すように、支柱本体部１３の下端に一体に設けた水平部１４ｈとこの水平部１４ｈの両端から下方に延設した一対のボルト部１４ｂ，１４ｂを有するとともに、支持枠支持部１５は、図１及び図３に示すように、支柱本体部１３に対して広幅に形成した支持面部１５ｐとこの支持面部１５ｐに形成したネジ孔部１５ｎを有する。そして、二本の同じ支柱部３ａ…を用意することにより、一本を一方の支柱部３ａとし、他の一本を他方の支柱部３ｂとして用いればよい。なお、各支柱部３ａ，３ｂは左右対称に配する。
【００２０】
また、支持枠部４は、強化プラスチック等により一体成形し、ゴミ袋Ｓの上部Ｓｕを折返して掛止可能な円筒形のリング状に形成する。そして、１８０〔°〕対向する位置には、それぞれ後述する締付ネジ７ａ，７ｂが挿通する挿通孔部１７ａ，１７ｂを有する。
【００２１】
さらに、蓋部５は、強化プラスチック等により一体成形し、支持枠部４における上端の開口部Ｏを上から覆う形状、即ち、支持枠部４の外径と略同じ直径を有する円盤状に形成する。また、蓋部５の上面における所定位置には、手で持つことができる把手部５ｇを設ける。
【００２２】
次に、このような主要部品を有するゴミ箱１の組立方法及び使用方法について、図１〜図４を参照して説明する。
【００２３】
底盤部２は、図１に示すように、ゴミ箱１の最下部に配する。この底盤部２における底盤本体部１１の面上であって外周付近の１８０〔°〕対向位置には、それぞれ一対の挿通孔部を設け、この挿通孔部に、各支柱部３ａ，３ｂにおける一対のボルト部１４ｂ，１４ｂ…を上から挿入し、図４に示すように、底盤本体部１１の下からナット１８，１８…をそれぞれ螺着して固定する。これにより、各支柱部３ａ，３ｂは、底盤部２から起立するとともに、所定間隔だけ離間して配される。この際、各支柱部３ａ，３ｂのフック部１６，１６は、図３に示すように、それぞれ外方を向けて配する。
【００２４】
一方、支持枠部４には蓋部５を組付ける。この場合、支持枠部４の一側（後側）に対して蓋部５の一側（後側）を、ヒンジ部（蝶番）６を利用して取付ける。これにより、蓋部５は、支持枠部４における上端の開口部Ｏを開閉することができる。なお、ヒンジ部６には、例えば、図１及び図２に示すように、閉じた位置から９５〔°〕程度開いた位置でクリック式に止まるクリック機構或いは座屈的に変位する座屈機構を付設することが望ましい。
【００２５】
そして、各支柱部３ａ，３ｂの上端に位置する各支持面部１５ｐ…に、図３に示すように、支持枠部４の内面を当接させ、締付ネジ７ａ，７ｂを螺着して支持する。即ち、締付ネジ７ａは、支柱部３ａの外側から支持枠部４の挿通孔部１７ａに通し、支柱部３ａのネジ孔部１５ｎに螺着する。また、他側の締付ネジ７ｂも締付ネジ７ａ側と同様に支柱部３ｂ側に螺着する。以上により、本実施形態に係るゴミ箱１の組立が終了する。
【００２６】
他方、このようなゴミ箱１を使用する際は、図２に示すように、支持枠部４の内側にゴミ袋Ｓを入れるとともに、このゴミ袋Ｓの上部Ｓｕを支持枠部４に対して包むように折返し、折返した上部Ｓｕを、各支柱部３ａ，３ｂのフック部１６，１６に引掛ければよい。なお、使用するゴミ袋Ｓの種類としては、特に制限が無く、スーパーマーケット等で用いる買物袋や一般家庭等におけるゴミ出用のゴミ袋（市町村の指定ゴミ袋）等を利用することができる。
【００２７】
また、締付ネジ７ａ，７ｂを緩め、支持枠部４における上端の開口部Ｏの開口方向を使い易い角度に設定する。具体的には、図２に示すように、支持枠部４を仮想線で示す標準的な水平位置Ｘｓに設定し、開口部Ｏが真上を向くようにしてもよいし、例えば、背の低い子供等が頻繁に使用するような場合には、実線で示すように、支持枠部４を前下がりとなる傾斜位置Ｘｆに設定し、開口部Ｏの方向が斜め前上方を向くようにしてもよい。そして、支持枠部４の角度位置を設定したなら、締付ネジ７ａ，７ｂを締め付けて支持枠部４を固定する。
【００２８】
このように、各支柱部３ａ，３ｂによって支持枠部４の略１８０〔°〕対向する位置をそれぞれ締付ネジ７ａ，７ｂにより支持するようにしたため、締付ネジ７ａ，７ｂの締緩により開口部Ｏの開口方向を容易に変更することができる。この結果、開口部Ｏの開口方向を斜め前上方に向けることができるなど、ゴミを投入する観点からの使い勝手及び利便性を高めることができる。
【００２９】
一方、ゴミ袋Ｓが一杯になり、ゴミ袋Ｓをゴミ箱１から取り出す場合には、支柱部３ａと３ｂ間の隙間Ｆから取り出すことができる。この場合、支柱部３ａ，３ｂは左右二本の構成のため、図２に示すように、隙間Ｆから前方向Ｆｆ及び後方向Ｆｒの二方向へ直接取り出すことができる。従来のゴミ箱、即ち、支柱部が三本以上のゴミ箱の場合、一方向から出すことになるため、他方向にゴミの張り出し等があった場合、ゴミ袋Ｓが支柱部に引っ掛かり、取り出しにくくなる不具合を生じるが、本実施形態に係るゴミ箱１では、ゴミ袋Ｓに収容したゴミが後方左右に張り出すことにより、前方向Ｆｆから取り出しにくいときは、後方向Ｆｒから取り出すことができる。
【００３０】
このように、各支柱部３ａ，３ｂ間の広い隙間Ｆを確保できるとともに、ゴミ袋Ｓの出入れを隙間Ｆの前方向Ｆｆと後方向Ｆｒの二方向において行うことができるため、ゴミ袋Ｓを出入れする観点からの使い勝手及び利便性を高めることができる。しかも、支柱部３ａ，３ｂの本数が減ることに伴う部品点数の削減及び構成のシンプル化を実現することができ、コストダウンに寄与できるとともに、組立及び分解も容易に行うことができる。
【００３１】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。
【００３２】
例えば、底盤部２，支柱部３ａ…，支持枠部４，蓋部５等を強化プラチックにより一体成形した場合を示したが、アルミニウム等の金属素材により形成してもよい。また、支持枠部４は、締付ネジ７ａ，７ｂにより各支柱部３ａ，３ｂの上端に支持される場合を示したが、締付ネジ７ａ，７ｂを用いることなくクリック機構のみにより所定の角度に設定できるようにしてもよいし、各支柱部３ａ，３ｂの上端に水平に固定した状態で取付けてもよい。さらに、各部の取付手段（固定手段）としてボルト・ナットを例示したが、嵌め込み式など、各種取付手段（固定手段）により置換することができる。一方、底盤部２や支持枠部４は、円形に形成した場合を例示したが、四角形に形成するなど、任意の形状を選定することができる。
【図面の簡単な説明】
【００３３】
【図１】本考案の最良の実施形態に係るゴミ箱の斜視図、
【図２】同ゴミ箱の側面図、
【図３】同ゴミ箱の上部を示す一部断面正面図、
【図４】同ゴミ箱の下部を示す一部断面側面図、
【符号の説明】
【００３４】
１    ゴミ箱
２    底盤部
３ａ  支柱部
３ｂ  支柱部
４    支持枠部
５    蓋部
６    ヒンジ部
７ａ  締付ネジ
７ｂ  締付ネジ
Ｓ    ゴミ袋
Ｓｕ  ゴミ袋の上部
Ｏ    支持枠部の上端開口
【図１】
0003109853.tif 000003
【図２】
0003109853.tif 000004
【図３】
0003109853.tif 000005
【図４】
0003109853.tif 000006